(57)【要約】      （修正有）【課題】犬、猫等の骨つぼを収納できるように収納穴を設けたペット形の置物を提供する。【解決手段】石材等を素材として加工し、一体化したペット形の置物本体の石像を作り、そのペット形の置物本体の底に円形の骨つぼ収納穴を設け、その骨つぼ収納穴を密封するための底蓋をビスねじ等で固着できるようにしたことを特徴とする。【選択図】図１
0003169637.tif 000002
【実用新案登録請求の範囲】
【請求項１】
一体化したペット形の置物本体の底に骨つぼ収納穴を設け、その骨つぼ収納穴を密封するための底蓋を底に当着した骨つぼ収納穴付きペット形の置物。
【請求項２】
ペット形の置物本体の底に埋込みナットを埋込み設け、底蓋をビスねじ等で取付け固着した請求項１記載の骨つぼ収納穴付きペット形の置物。
【請求項３】
底蓋の上面に接着シートを貼着し設け、底に底蓋を当て接着した請求項１記載の骨つぼ収納穴付きペット形の置物。
【請求項４】
底蓋の上方に突起部を設け、その突起部が骨つぼ収納穴に圧入して挿入し、底蓋を底に当着した請求項１記載の骨つぼ収納穴付きペット形の置物。
【請求項５】
底蓋の上方に突起部を設け、その外周と骨つぼ収納穴の内周にねじ部を設け、底蓋を底に当着した請求項１記載の骨つぼ収納穴付きペット形の置物。
【請求項６】
ペット形の置物本体をプラスチック等の樹脂とした請求項１記載の骨つぼ収納穴付きペット形の置物。
【請求項７】
ペット形の置物本体を陶磁器等とした請求項１記載の骨つぼ収納穴付きペット形の置物。
【請求項８】
ペット形の置物本体を鋳物等とした請求項１記載の骨つぼ収納穴付きペット形の置物。
【請求項９】
ペット形の置物本体をセメント等とした請求項１記載の骨ぼ収納穴付きペット形の置物。
【考案の詳細な説明】
【技術分野】
【０００１】  本考案は、犬、猫等の骨つぼを収納できるように収納穴を設けたペット形の置物の改良に関するものである。
【背景技術】
【０００２】  従来の犬、猫等のペットの納骨方法は、ペット形の置物と台座を組合せたものを陶磁器製で作り、その台座の中に納骨するものであり、また、頭部と胴体部が分割形成され、その胴体部にも納骨できるようになっているものであった。（特許文献１参照）
【先行技術文献】
【０００３】
【特許文献１】  登録実用新案第３０２５５０３号
【考案の概要】
【考案が解決しようとする課題】
【０００４】  これは次のような欠点があった。
従来のペット用骨つぼは、陶磁器製であり、下に落下したり、物をぶつけたりすると、どうしても割れやすく、万一破損したりすると付近に飛び散り、その破片の角は鋭く怪我をする危険があった。
又、ペット形の置物と台座を組合せてあり、台座は外観上どうしても納骨部と見えることになり、家族であればそれでもよいが、家族以外の人が見ると、人によってはあまり良い感じがしない人もいる。
又、胴体部の開口部が頭部の嵌合突部の嵌め込みよって閉蓋されているが、室外に置いた場合は、温度の寒暖の差や風雨に長期に晒していると、嵌め込み部分は首部分であり、横風を受けることになり、どうしても雨水等が侵入する可能性が出てくる問題がある。
本考案は、以上のような欠点をなくするために考案したものである。
【課題を解決するための手段】
【０００５】  石材等を素材として加工し、一体化したペット形の置物本体の石像を作り、そのペット形の置物本体の底に円形の骨つぼ収納穴を設け、その骨つぼ収納穴を密封するための底蓋をビスねじ等で固着できるようにした。
本考案は、以上の構成よりなる骨つぼ収納穴付きペット形の置物。
【考案の効果】
【０００６】（イ）石材等を素材としたので下に落下したり、物をぶつけても破損しにくい。
（ロ）万一、割れたりしても、石材であるので、陶磁器のような破片の角は鋭くはならず、危険が小さくなる。
（ハ）骨つぼの収納穴はペット形の置物本体の底に設け、さらに底蓋で密封されるので雨水等の侵入はなくなる。
（ニ）石材等で一体化し構成されているので、室外に置いても陶磁器よりも重量があり、風などで倒れたりしにくい。
（ホ）外観はペット形の石像の置物であり、室内、室外において、置物、あるいはインテリアとして、その置物に犬、猫等のペットの骨つぼを納めても置いても違和感を感じさせない。
（ヘ）家族以外の人が見てもペットの骨つぼ、あるいは、骨つぼが入っているとという感じは全ったくないので、室外、室外に安心て置くことができる。
本考案は、以上のような効果がある。
【図面の簡単な説明】
【０００７】
【図１】  本考案の第１実施例を示す全体の側面図である。
【図２】  本考案の第１実施例を示す一部分省略した側面の断面図である。
【図３】  本考案の第２実施例を示す一部分省略した側面の断面図である。
【図４】  本考案の第２実施例を示す底ふたの斜面図である。
【図５】  本考案の第３実施例を示す一部分省略した側面の断面図である。
【図６】  本考案の第４実施例を示す一部分省略した側面の断面図である。
【図７】  本考案の使用例を示す全体の斜面図である。
【考案を実施するための形態】
【０００８】  以下、本考案の実施するための形態について図面に従って説明る。
【０００９】  図１、図２において、石材等を素材として加工し、一体化したペット形の置物本体１の石像をを形成し、そのペット形の置物本体１の底２に円形の骨つぼ３を収納するための骨つぼ収納穴４を設け、その骨つぼ収納穴４密封するための底蓋５を底２に当着し、ビスねじ６で固着する。
尚、ペット形の置物本体１が石材の場合は、そのペット形の置物本体１の底２の中に埋込みナット７を埋込むのが望ましい。
【００１０】  図３、図うにおいて、底蓋５の上面８に接着シート９等を貼着し、底２に当着し底蓋５を底２の面に固着する。
【００１１】  図５において、底蓋５の中心に突起部１０を設け、その突起部１０の外周部１１を骨つぼ収納穴４の内周面１２に圧入し、底蓋５を底２の面に当着する。
【００１２】  図６において、底蓋の中心に突起した突起部１３を設け、その外周と骨つぼ収納穴４の内周にねじ部１４を設け、底蓋５をねじ込んで底２の面に当着する。
このねじ部１４は、石に加工するのは難しいので、この場合は、プラスチック等や鉄や真鍮等の金属を素材としたペット形の置物本体にねじ部１４を加工するのが望ましい。
【００１３】  図７において、本考案の使用例を示すもので、例えば、室内の場合いは、レース編した敷物等を下に敷いて、その上に骨つぼを収納したペット形の置物本体を載せて、置物やインテリアとしたものである。
【００１４】  ペット形の置物本体１をプラスチック等の樹脂で一体化し作ることもできる。
【００１５】  ペット形の置物本体１を陶磁器等で一体化して作ることもできる。
【００１６】  ペット形の置物本体１を鋳物等で一体化して作ることもできる。
【００１７】  ペット形の置物本体１をセメント等で固めて一体化して作ることもできる。
【００１８】  骨つぼ収納穴は、ペット形の置物本体の頭部分や背中部分、腹部分等の適所部分に設けてもよい。
【００１９】  ペット形の置物本体の形は、本考案のようにペットが座っている状態だけでなくともよい。例えば、ペットが寝ている状態、立っている状態等、種々な状態のペット形の置物本体としてもよい
【符号の説明】
【００２０】  １  ペット形の置物本体
２  底
３  骨つぼ
４  骨つぼ収納穴
５  底蓋
６  ビスねじ
７  埋込みナット
８  上面
９  接着シート
１０  突起部
１１  外周部
１２  内周面
１３  突起部
１４  ねじ部
１５  敷物
【図１】
0003169637.tif 000003
【図２】
0003169637.tif 000004
【図３】
0003169637.tif 000005
【図４】
0003169637.tif 000006
【図５】
0003169637.tif 000007
【図６】
0003169637.tif 000008
【図７】
0003169637.tif 000009